(57)【要約】【課題】  高い排水性を実現することができる浸透トレンチおよびその製造方法を提供する。【解決手段】  軸線Ｌ１に沿って連続した切れ目のない取水口２ａ，２ｂ，２ｃおよび内部空間３ａ，３ｂ，３ｃを有する浸透トレンチ１において、周方向に延びる軸直角断面が略Ｃ字状の複数の周壁部４ａ，４ｂ，４ｃと、各周壁部４ａ〜４ｃの周方向一端部が連なって一直線方向に延びる長尺体である基部５とを含み、各取水口２ａ，２ｂ，２ｃを軸線Ｌ１方向に全長にわたって捩られた形状とする。【選択図】      図１
2019044396.tif 000002
【特許請求の範囲】
【請求項１】
硬質ポリ塩化ビニルから成る筒状の浸透トレンチであって、
一直線方向に延びる長尺体である基部と、
前記基部に周方向一端部が連なって該基部に沿って延びる、軸直角断面がＣ字状の複数の周壁部と、を含み、
前記周壁部の周方向他端部と、前記基部または隣接する周壁部の前記周方向一端部が対向する部分との間に、軸線方向に全長にわたって捩られた形状で延びる取水口が設けられていることを特徴とする浸透トレンチ。
【請求項２】
前記周壁部の周方向他端部と、前記基部または隣接する周壁部の前記周方向一端部が対向する部分との間の間隔は、１〜３ｍｍであることを特徴とする請求項１に記載の浸透トレンチ。
【請求項３】
前記周壁部は、軸直角断面における最大幅が７〜２５ｍｍであることを特徴とする請求項１または２に記載の浸透トレンチ。
【請求項４】
押出し成形物であることを特徴とする請求項１〜３のいずれか１つに記載の浸透トレンチ。
【請求項５】
一直線方向に延びる長尺体である基部と、前記基部に周方向一端部が連なって該基部に沿って延びる、軸直角断面がＣ字状の複数の周壁部と、を含み、前記周壁部の周方向他端部と、前記基部または隣接する周壁部の前記周方向一端部が対向する部分との間に、軸線方向に全長にわたって捩られた形状で延びる取水口が設けられた浸透トレンチの製造方法であって、
硬質ポリ塩化ビニルから成る成形材料を軟化させて、基部に複数の周壁の周方向一端部が連なり、軸線方向に全長にわたって取水口が設けられた一次成形物を押出し成形する第１成形工程と、
前記一次成形物を冷却しながら複数のサイジング金型を通過させて、前記一次成形物を捩られた形状に成形する第２成形工程と、を含むことを特徴とする浸透トレンチの製造方法。
【発明の詳細な説明】
【技術分野】
【０００１】
本発明は、集中豪雨などによる大量の降雨を効率よく地下浸透させるために好適に実施することができる浸透トレンチおよびその製造方法に関する。
【背景技術】
【０００２】
近年、都市型集中豪雨によって短時間に大量の降雨が発生したとき、その雨水は下水道に流入し、下水道の雨水排除能力を上回って浸水被害が発生している。また、豪雨後には、下水管から汚濁水が逆流し、円滑に雨水の排水処理ができず、道路などに長時間にわたって汚濁水が滞留する場合もある。
【０００３】
このような問題を解決する従来技術は、たとえば特許文献１に記載されている。この従来技術では、雨水を直接地下へ浸透させる地下浸透工法が採用されている。この地下浸透工法は、浸透トレンチとして、地下に砕石等の集水層を敷設し、この集水層にポリ塩化ビニル製またはポリエチレン製の有孔パイプを埋設しているため、このパイプが土圧によって圧縮破壊されたり、腐食または劣化によって開口部が拡大したり、さらに土粒砂の流入によって目詰まりを生じやすく、高い排水性を実現することができないという問題がある。
【先行技術文献】
【特許文献】
【０００４】
【特許文献１】実開平５−８３０８７号公報
【発明の概要】
【発明が解決しようとする課題】
【０００５】
本発明の目的は、高い排水性を実現することができる浸透トレンチおよびその製造方法を提供することである。
【課題を解決するための手段】
【０００６】
本発明は、硬質ポリ塩化ビニルから成る筒状の浸透トレンチであって、
一直線方向に延びる長尺体である基部と、
前記基部に周方向一端部が連なって該基部に沿って延びる、軸直角断面がＣ字状の複数の周壁部と、を含み、
前記周壁部の周方向他端部と、前記基部または隣接する周壁部の前記周方向一端部が対向する部分との間に、軸線方向に全長にわたって捩られた形状で延びる取水口が設けられていることを特徴とする浸透トレンチである。
【０００７】
また本発明は、前記周壁部の周方向他端部と、前記基部または隣接する周壁部の前記周方向一端部が対向する部分との間の間隔は、１〜３ｍｍであることを特徴とする。
【０００８】
また本発明は、前記周壁部は、軸直角断面における最大幅が７〜２５ｍｍであることを特徴とする。
【０００９】
また本発明は、前記浸透トレンチが押出し成形物であることを特徴とする。
【００１０】
また本発明は、一直線方向に延びる長尺体である基部と、前記基部に周方向一端部が連なって該基部に沿って延びる、軸直角断面がＣ字状の複数の周壁部と、を含み、前記周壁部の周方向他端部と、前記基部または隣接する周壁部の前記周方向一端部が対向する部分との間に、軸線方向に全長にわたって捩られた形状で延びる取水口が設けられた浸透トレンチの製造方法であって、
硬質ポリ塩化ビニルから成る成形材料を軟化させて、基部に複数の周壁の周方向一端部が連なり、軸線方向に全長にわたって取水口が設けられた一次成形物を押出し成形する第１成形工程と、
前記一次成形物を冷却しながら複数のサイジング金型を通過させて、前記一次成形物を捩られた形状に成形する第２成形工程と、を含むことを特徴とする浸透トレンチの製造方法である。
【発明の効果】
【００１１】
本発明によれば、基部に複数の周壁部の周方向一端部が連なり、周壁部の周方向他端部と、基部または隣接する周壁部の前記周方向他端部が対向する部分との間に、軸線方向に全長にわたって捩られた形状で延びる取水口が設けられているので、目詰まりを生じにくく、開口する方向が軸線まわりに変化する取水口を介して周囲から内部空間へ円滑に土中水を流入させることができる。内部空間に流入した土中水の大半は、浸透トレンチの軸線方向の下流側の端部に到達する前に、再び取水口を介して外部へ分散して排出され、浸透トレンチ内に滞留する時間を短縮することができる。これによって、短時間で浸透トレンチ内に流入した水を、短時間で浸透拡散可能な位置まで移動させて地下浸透させ、飽和状態にある土中水を迅速に排除し、水輸送機能の向上によって高い排水性を実現することができる。
【００１２】
また本発明によれば、周壁部の周方向他端部と、基部または隣接する周壁部の周方向他端部が対向する部分との間の間隔は、１〜３ｍｍであるので、取水口の目詰まりを防ぎ、水の通過を許容し、長期に排水機能を維持することができる。
【００１３】
また本発明によれば、周壁部の軸直角断面における最大幅が７〜２５ｍｍであるので、浸透トレンチ内に植物の根が侵入して生長することが防がれ、排水が阻害されることが防がれる。
【００１４】
また本発明によれば、浸透トレンチは押出し成形物によって実現されるので、軸線方向に一様に連続した断面が得られ、高い排水性を得ることができる。
【００１５】
また本発明によれば、第１成形工程において、硬質ポリ塩化ビニルから成る成形材料を軟化させて、基部に複数の周壁の周方向一端部が連なり、軸線方向に全長にわたって取水口が設けられた一次成形物が押出し成形され、第２成形工程において、第１成形工程で得られた一次成形物を、冷却しながら複数のサイジング金型を通過させて、一次成形物を捩られた形状に成形するので、軸線方向に連続して捩れた取水口を有する浸透トレンチを短時間で容易に製造することができ、高い生産性を実現することができる。
【図面の簡単な説明】
【００１６】
【図１】本発明の一実施形態の浸透トレンチ１を示す斜視図である。
【図２】浸透トレンチ１の正面図である。
【図３】浸透トレンチ１を製造するために用いられる金型１０および金型１０が搭載された治具１１を示す正面図である。
【図４】保持ブロック１２の拡大正面図である。
【図５】図４の右側から見た保持ブロック１２の側面図である。
【図６】金型１０の正面図である。
【図７】浸透トレンチ１を製造するための浸透トレンチ製造設備３０を簡素化して示す斜視図である。
【図８】浸透トレンチ１の長さに対する各取水口２ａ〜２ｃの角度θａ，θｂ，θｃの変化を示すグラフである。
【図９】浸透トレンチ束１００を示す斜視図である。
【図１０】本発明の他の実施形態の浸透トレンチ１ａを示す正面図である。
【図１１】本発明のさらに他の実施形態の浸透トレンチ１ｂを示す正面図である。
【発明を実施するための形態】
【００１７】
図１は、本発明の一実施形態の浸透トレンチ１を示す斜視図であり、図２は浸透トレンチ１の正面図である。本実施形態の浸透トレンチ１は、軸線Ｌ１に沿って連続した切れ目のない３つの取水口２ａ，２ｂ，２ｃおよび内部空間３ａ，３ｂ，３ｃを有する。この浸透トレンチ１は、一直線方向に延びる、軸直角断面がＹ字状の長尺体である基部５と、基部５に周方向一端部が連なって該基部５に沿って延びる、軸直角断面がＣ字状の複数の周壁部４ａ，４ｂ，４ｃと、各取水口２ａ〜２ｃのそれぞれ近傍であって、各周壁部４ａ〜４ｃの先端部分６ａ，６ｂ，６ｃよりも外側で軸線方向に連続した各一対の突条７ａ１，７ａ２；７ｂ１，７ｂ２；７ｃ１，７ｃ２と、各周壁部４ａ〜４ｃに一体的に形成され、外方に突出しかつ外方に開口する各一対の外部突条８ａ，８ｂ，８ｃとを含む。各取水口２ａ，２ｂ，２ｃは、軸線Ｌ１方向に全長にわたって捩られた形状で延びて形成される。このような浸透トレンチ１は、硬質ポリ塩化ビニルの押出し成形材から成る。
【００１８】
周壁部４ａ〜４ｃの周方向他端部と、基部５または隣接する周壁部４ａ〜４ｃの周方向他端部が対向する部分との間の間隔δは、１〜３ｍｍである。これによって、取水口２ａ〜２ｃの目詰まりを防ぎ、外部から内部空間３ａ〜３ｃへの水の円滑な通過を許容し、長期に排水機能を維持することができる。また各周壁部４ａ〜４ｃの軸直角断面における最大幅Ｂｍａｘは、７〜２５ｍｍに選ばれる。これによって、浸透トレンチ１を後述のように複数本結束して地中に埋設しても、各浸透トレンチ１内に植物の根が侵入して生長することが防がれ、排水が阻害されることが防がれる。
【００１９】
図３は浸透トレンチ１を製造するために用いられる金型１０および金型１０が搭載された治具１１を示す正面図であり、図４は保持ブロック１２の拡大正面図であり、図５は図４の右側から見た保持ブロック１２の側面図であり、図６は金型１０の正面図である。浸透トレンチ１を押出成形するために、金型１０および治具１１が用いられる。金型１０は、サイジング金型であって、後述の押出成形機１３に備えられる押出金型３２（図７参照）から押し出された軟質の成形物を、断面形状を変えずに捩りを付与するための案内面１４を有する。案内面１４は、浸透トレンチ１の外周面を軸線Ｌ１に関して半径方向外方に投影した形状である。
【００２０】
治具１１は、正面視において略Ｕ字状の吊り枠体１５と、吊り枠体１５の中央に固定され、金型１０を中心軸線Ｌ２まわりの任意の角度位置で保持するための保持ブロック１２とを有する。吊り枠体１５は、正面視における断面が逆Ｕ字状の一対のフック状部材１７ａ，１７ｂと、各フック状部材１７ａ，１７ｂの互いに対向する内側の側壁部に上端部が固定される一対の吊下げ部材１８ａ，１８ｂと、ほぼ水平に配設され、各吊下げ部材１８ａ，１８ｂの下端部に幅方向（図３の左右方向）の各端部が垂直に連結される支持部材１９と、正面視における断面が略Ｌ字状であり、支持部材１９の幅方向の各端部と各吊下げ部材１８ａ，１８ｂの下端部とを連結する一対の連結部材２０ａ，２０ｂとを有する。
【００２１】
各フック状部材１７ａ，１７ｂ、各吊下げ部材１８ａ，１８ｂ、支持部材１９および各連結部材２０ａ，２０ｂは、樹脂の溶融温度ないし軟化温度で熱膨張率が充分低い材料、たとえばステンレス鋼から成る。
【００２２】
保持ブロック１２は、正面視において正方形状の板状体であって、中央に成形物が遊通することができる円柱状の中央孔２１が形成され、この中央孔２１の周囲に、金型１０の中心軸線Ｌ２と共通な一直線を成す中央孔２１の軸線Ｌ３に関して、周方向に角度αで等角度間隔を成す複数のボルト挿通孔２２が形成される。
【００２３】
保持ブロック１２には、金型１０が複数のボルト２３によって着脱可能に連結される。金型１０が保持ブロック１２に連結された状態では、中央孔２１の軸線Ｌ３は金型１０の中心軸線Ｌ２に一致している。各ボルト挿通孔２２の軸線Ｌ３に関して成す角度αは、本実施形態においては４５°であるが、これに限定されるものではなく、金型１０の取付け強度に応じたボルトの使用本数およびボルトのサイズなどによって適宜選択される。
【００２４】
保持ブロック１２は、支持部材１９の長手方向の中央に支持部材１９の水平な上面に垂直にボルト２４ａ，２４ｂによって固定される。保持ブロック１２が支持部材１９に固定された状態では、保持ブロック１２の中央孔２１の中心軸線Ｌ２は、通過時の成形物、したがって浸透トレンチ１の軸線Ｌ１に一致している。このような保持ブロック１２は、樹脂の溶融温度ないし軟化温度で熱膨張率が充分低い材料、たとえば鋼材から成る。
【００２５】
金型１０は、正面視において円筒状の板状体であって、その中央には、軟質の成形物が通過する案内孔２５が形成される。このような案内孔２５は、前述の案内面１４によって規定される。金型１０の外周部には、中心軸線Ｌ２に関して一仮想円上で角度βにわたって円弧状に延びる複数（本実施形態では３）の案内長孔２７ａ，２７ｂ，２７ｃが周方向に等間隔に形成される。各案内長孔２７ａ〜２７ｃには、それぞれ１本のボルト２３が挿通され、図示しないナットが螺着されて、金型１０が保持ブロック１２に固定される。角度βは、たとえば６０°に選ばれる。このような金型１０は、は、耐腐食性、耐摩耗性が高く、樹脂の溶融温度ないし軟化温度で熱膨張率が充分低い材料、たとえば機械構造用炭素鋼鋼材（ＪＩＳ  Ｓ４５Ｃ）から成る。
【００２６】
図７は浸透トレンチ１を製造するための浸透トレンチ製造設備３０を簡素化して示す斜視図である。本発明に係る浸透トレンチの製造方法は、浸透トレンチ製造設備３０によって実施することができる。浸透トレンチ製造設備３０は、水槽３１と、水槽に一直線上に互いに間隔をあけて取り付けられる３つの治具１１と、各治具１１にそれぞれ搭載される３つの金型１０と、押出成形機１３とを含む。各金型１０は、成形物の移動方向Ａの上流側から下流側に向かって、保持ブロック１２に軸線Ｌ３まわりに予め定める角度、たとえば３０°ずつ角度位置をずらして固定される。これによって、各金型１０を通過する軟質の成形物が捩られ、出口３３から軸線方向Ｌ１に全長にわたって捩られた取水口２ａ〜２ｃを有する成形物が連続的に搬出され、これを定尺、たとえば図１に示す長さＬ１０＝４ｍ毎に切断することによって、浸透トレンチ１が製造される。
【００２７】
このような浸透トレンチ製造設備３０は、第１成形工程において、押出成形機１３によって、硬質ポリ塩化ビニルから成る成形材料を軟化させて押出金型３２から基部５に複数の周壁部４ａ〜４ｃの周方向一端部が連なり、軸線Ｌ１方向に全長にわたって取水口２ａ〜２ｃが設けられた一次成形物が押出し成形される。次に、第２成形工程において、第１成形工程で得られた一次成形物を、水槽３１内に貯留される常温の冷却水で冷却しながら互いに角度位置が異なる複数の金型１０を順次的に通過させて、一次成形物を捩られた形状に賦形し、最終製品として硬化した二次成形物を成形する。本発明の他の実施形態では、前述の冷却水に代えて、ブロアなどの送風機を用いて成形物に送風して冷却し、適切な角度に捩りが付与されるように温度管理されてもよい。
【００２８】
このようにして、軸線Ｌ１方向に連続して延びる、捩れた取水口２ａ〜２ｃを有する浸透トレンチ１を連続的に押出成形し、短時間で浸透トレンチ１を容易に製造して、高い生産性を実現することができる。
【００２９】
以上のように、本実施形態の浸透トレンチ１は、基部５に複数の周壁部４ａ〜４ｃの周方向一端部が連なり、周壁部４ａ〜４ｃの周方向他端部と、基部５または隣接する周壁部４ａ〜４ｃの周方向他端部が対向する部分との間に、軸線Ｌ１方向に全長にわたって捩られた形状で延びる取水口２ａ〜２ｃが設けられるので、目詰まりを生じにくく、開口する方向が軸線まわりに変化する取水口２ａ〜２ｃを介して、単位長さ当たりの開口面積を大きくし、周囲から内部空間３ａ〜３ｃへ円滑に土中水を流入させることができる。
【００３０】
また内部空間３ａ〜３ｃに流入した土中水の大半は、浸透トレンチ１の軸線Ｌ１方向の下流側の端部に到達する前に、再び取水口２ａ〜２ｃを介して外部へ分散して排出され、浸透トレンチ１内に滞留する時間を短縮することができる。これによって、短時間で浸透トレンチ１内に流入した水を、浸透拡散可能な位置まで移動させて地下浸透させ、地中で飽和状態にある土中の浸透水を迅速に排除し、高い水輸送機能によって排水性を格段に向上することができる。
【００３１】
図８は浸透トレンチ１の長さに対する各取水口２ａ〜２ｃの角度θａ，θｂ，θｃの変化を示すグラフである。浸透トレンチ１の各取水口２ａ〜２ｃは、ラインＬ（２ａ），Ｌ（２ｂ），Ｌ（２ｃ）で示すように、浸透トレンチ１の一端部から他端部に向かって１８０°捩れて形成されている。
【００３２】
図９は浸透トレンチ束１００を示す斜視図である。浸透トレンチ１の複数本をランダムに結束用テープ３５によって結束して、浸透トレンチ束１００が構成される。このような浸透トレンチ束１００は、地中に埋設され、豪雨などによる地下浸透水を効率よく集水し、所定の排水場所へ導くことができる。
【００３３】
浸透トレンチ１の結束本数としては、単一本でも用いることができるが、たとえば５本、８本、１２本、１８本、３０本、５０本、または７０本などであってもよい。この場合、浸透トレンチ１を各結束本数にそれぞれ対応して外径は、約７５ｍｍ、約１００ｍｍ、約１２５ｍｍ、約１５０ｍｍ、約２００ｍｍ、約２５０ｍｍ、約３００ｍｍの各サイズに規格化しておくことができる。このような結束本数は、これにが限るものではなく、必要に応じて希望する直径の浸透トレンチ束を容易に製造することができる。
【００３４】
浸透トレンチ１は、約１３０ｋｇｆ／本の引張強度を有する。また、浸透トレンチ１は、曲率半径が５ｍ程度に湾曲させることができる。この湾曲状態では、複数の浸透トレンチ１を相互に長手方向に拘束せずに、合成樹脂製の結束用テープ３５によって結束することによって、各浸透トレンチ１の内空断面の縮小はほとんど生じないので、排出流量の減少もなく、排水性が低下することはない。
【００３５】
浸透トレンチ１には複数の取水口２ａ〜２ｃが形成されるので、浸透トレンチ１が土圧によって圧縮されたとき、各周壁部４ａ〜４ｃの先端部分６ａ〜６ｃは各突条７ａ１，７ａ２；７ｂ１，７ｂ２；７ｃ１，７ｃ２および各部分いずれかに当接して支持され、基部２９と各周壁部３０ａ，３０ｂとによって囲まれた軸直角断面が略楕円状の内部空間３ａ〜３ｃの内空断面が縮小することが防がれ、各取水口２ａ〜２ｃから流入した水の流路を確保して、排水性の低下を防止することができる。
【００３６】
また各取水口２ａ〜２ｃは、軸直角断面が凹状であるので、目詰まりが生じにくく、集水性の低下が防がれ、耐目詰まり性が向上される。さらにまた各外部突条８ａ，８ｂ，８ｃは、複数の浸透トレンチ１を結束した状態で、各浸透トレンチ１が相互に接触して各浸透トレンチ１の間に空間を形成し、流路とすることができ、排水性が向上される。また各外部突条８ａ〜８ｃはＣ字状とされるので、その内部の略円形の空間は流路として機能し、これによってもまた、排水性が向上される。
【００３７】
さらに、各突条７ａ１，７ａ２；７ｂ１，７ｂ２；７ｃ１，７ｃ２および外部突条８ａ〜８ｃによって、基部５および各周壁部４ａ〜４ｃが補強され、曲げ、捩れおよび引張りに対する強度が向上されている。これによって、たとえば長さＬ１０＝４ｍの複数の浸透トレンチ１を、上記の結束用テープ３５によって少なくとも５〜８箇所で結束した状態で、各浸透トレンチ１が自重によって各結束用テープ３５間でたわみを生じ、各浸透トレンチ１の相互間に大きな隙間が生じるおそれはなく、土砂が浸透トレンチ束１００の内部に侵入することが防がれる。したがって浸透トレンチ１を地中に埋設した状態であっても土圧によって変形せず、略直円柱状の形状が維持され、各浸透トレンチ１間への土砂および小石の噛み込みが防がれ、確実な排水性を継続的に達成することができる。
【００３８】
浸透トレンチ束１００は、複数の浸透トレンチ１を結束したものであって、各浸透トレンチ１が相互に接触して土圧などの圧縮力に対して大きな耐圧強度を有する。また各浸透トレンチ１は、その軸線Ｌ１方向に全長にわたって連続して捩れた取水口２ａ〜２ｃが形成され、この取水口２ａ〜２ｃを介して内部空間３ａ〜３ｃが全長にわたって開放するので、取水口が一直線に延びる構成に比べて、１本あたり浸透トレンチ１の取水口２ａ〜２ｃの長さが長く、大きな開口面積を有し、高い集水機能を達成することができる。
【００３９】
このような浸透トレンチ１を複数平行に揃えて結束した状態では、各浸透トレンチ１の間にも空間が形成されるので、浸透トレンチ束１００の外周部から内側には軸線Ｌ１に沿って延びる複数の流路が形成され、内部に土砂が侵入して目詰まりするという不具合が生じにくく、排水性が良好である。したがって長期にわたって良好な水輸送機能を維持することができ、集水性、排水性、耐圧性および耐目詰まり性を向上し、高い信頼性で長期に安定した排水機能を維持することができる。
【００４０】
また浸透トレンチ束１００の周囲に透水性の高い分散層を設けることによって、浸透トレンチ束１００の上端部から流入した水は、各浸透トレンチ１の内部空間３ａ〜３ｃを通って下方へ流れ落ち、各取水口２ａ〜２ｃから外部へ流出して分散層内に分散して浸透し、この分散層から地中に浸透して拡散する。このような透水性分散層は、たとえば砕石を浸透トレンチ束の周囲に充填して実現される。このような分散層によって各浸透トレンチ１の取水口２ａ〜２ｃから外部へ流出した水を広い面積に分散して地中へ浸透させることができ、排水効率が向上される。
【００４１】
図１０は本発明の他の実施形態の浸透トレンチ１ａを示す正面図である。なお、前述の実施形態と対応する部分には、同一の参照符を付す。本実施形態の浸透トレンチ１ａは、軸線Ｌ１に沿って連続した切れ目のない２つの取水口２ａ，２ｂおよび内部空間３ａ，３ｂを有する。この浸透トレンチ１ａは、周方向に延びる軸直角断面が略Ｃ字状の周壁部４ａ，４ｂと、各周壁部４ａ，４ｂの周方向一端部が連なって一直線方向に延びる、軸直角断面が板状の長尺体である基部５と、各取水口２ａ，２ｂのそれぞれ近傍であって、各周壁部４ａ，４ｂの先端部分６ａ，６ｂよりも内側で軸線方向に連続した複数の突条７ａ２，７ｂ２とを含む。各取水口２ａ，２ｂは、軸線Ｌ１方向に全長にわたって捩られた形状で延びて形成される。このような浸透トレンチ１ａは、前述の実施形態と同様な硬質ポリ塩化ビニルの押出し成形材から成る。
【００４２】
このような浸透トレンチ１ａの複数本を結束用テープ３５によって結束して、浸透トレンチ束を形成することができる。このような浸透トレンチ１ａの基部５は、板状であるので、適度の柔軟性を有し、複数の周壁部４ａ，４ｂに外周から流入するあらゆる方向の水を各内部空間３ａ，３ｂに導くことができ、高い集水能力によって、より高い排水性を達成することができる。
【００４３】
図１１は本発明のさらに他の実施形態の浸透トレンチ１ｂを示す正面図である。なお、前述の各実施形態と対応する部分には、同一の参照符を付す。本実施形態の浸透トレンチ１ｂは、軸線Ｌ１に沿って連続した切れ目のない６つの取水口２ａ〜２ｆおよび内部空間３ａ〜３ｆを有する。この浸透トレンチ１ａは、周方向に延びる軸直角断面が略Ｃ字状の周壁部４ａ〜４ｆと、各周壁部４ａ〜４ｆの周方向一端部が連なって一直線方向に延びる、軸直角断面が円筒状の長尺体である基部５と、各取水口２ａ〜２ｆのそれぞれ近傍であって、各周壁部４ａ〜４ｆの先端部分６ａ〜６ｆよりも内側で軸線方向に連続した複数の突条７ａ〜７ｆとを含む。各取水口２ａ〜２ｆは、軸線Ｌ１方向に全長にわたって捩られた形状で延びて形成される。このような浸透トレンチ１ａは、前述の実施形態と同様な硬質ポリ塩化ビニルの押出し成形材から成る。
【００４４】
このような浸透トレンチ１ａの複数本を結束用テープ３５によって結束して、浸透トレンチ束を形成することができる。このような浸透トレンチ１ａの基部５は、円形のパイプ状、すなわち直円筒状であるので、大きな強度を有し、しかも複数の周壁部４ａ〜４ｆによって複数の流路となる内部空間３ａ〜３ｆが形成されるので、外周から流入するあらゆる方向の水を各内部空間３ａ〜３ｆに導くことができ、高い集水能力によって、より高い排水性を達成することができる。
【００４５】
本発明に係る浸透トレンチは、運動グランド、公園および造成地だけでなく、舗装道路、坑道およびトンネル内の水処理にも好適に実施することができる。
【符号の説明】
【００４６】
１，１ａ，１ｂ  浸透トレンチ
２ａ，２ｂ，２ｃ  取水口
３ａ，３ｂ，３ｃ  内部空間
４ａ，４ｂ，４ｃ  周壁部
５  基部
６ａ，６ｂ，６ｃ  先端部分
７ａ１，７ａ２；７ｂ１，７ｂ２；７ｃ１，７ｃ２  突条
８ａ，８ｂ，８ｃ  外部突条
１０  金型
１１  治具
１３  押出成形機
１４  案内面
１５  吊り枠体
１２  保持ブロック
１７ａ，１７ｂ  フック状部材
１８ａ，１８ｂ  吊下げ部材
１９  支持部材
２０ａ，２０ｂ  連結部材
２１  中央孔
２２  ボルト挿通孔
２３；２４ａ，２４ｂ  ボルト
２５  案内孔
２７ａ，２７ｂ，２７ｃ  案内長孔
３０  浸透トレンチ製造設備
３１  水槽
３２  押出金型
３３  出口
３５  結束用テープ
α；β；θａ，θｂ，θｃ  角度
δ  間隔
Ｂｍａｘ  最大幅
Ｌ１，Ｌ２，Ｌ３  軸線
Ｌ（２ａ），Ｌ（２ｂ），Ｌ（２ｃ）  ライン
１００  浸透トレンチ束
【図１】
2019044396.tif 000003
【図２】
2019044396.tif 000004
【図３】
2019044396.tif 000005
【図４】
2019044396.tif 000006
【図５】
2019044396.tif 000007
【図６】
2019044396.tif 000008
【図７】
2019044396.tif 000009
【図８】
2019044396.tif 000010
【図９】
2019044396.tif 000011
【図１０】
2019044396.tif 000012
【図１１】
2019044396.tif 000013